(57)【要約】【課題】バッテリに対する所定の補助手段を用いて、電池の寿命時間を向上させること。【解決手段】バッテリ収容部３３の外表面（側面３３ｂ）に、複数のパネルによって構成される太陽電池３３ａを設け、この太陽電池３３ａをバッテリ３４と並列に接続することで、２次電池であるバッテリ３４を随時充電し、このバッテリ装置３を内視鏡に用いると、長時間の体腔内の観察に使用する場合でも、バッテリの寿命が尽きることなく、良好に被検者の体腔内の観察を行うことが可能となる。【選択図】        図４
2006110244.tif 000002
【特許請求の範囲】
【請求項１】
電極部を有し、装置内部に収容されるバッテリ手段と、
前記バッテリ手段から供給される電源により作動する機能実行手段と、
前記バッテリ手段による電源供給を補助する補助手段と、
を備えることを特徴とするバッテリ装置。
【請求項２】
前記補助手段は、前記バッテリ装置の外表面に設けられ、光が入射した時に前記バッテリ手段を充電する太陽電池であることを特徴とする請求項１に記載のバッテリ装置。
【請求項３】
電極部を有し、装置内部に収容されるバッテリ手段と、
前記バッテリ手段から供給される電源により作動する機能実行手段と、
前記バッテリ手段による電源供給を補助する補助手段と、
所定対象装置に装着される装着手段と、
を有するバッテリ装置と、
所定対象装置としての内視鏡操作部と、
を備えることを特徴とする内視鏡装置。
【請求項４】
前記補助手段は、前記バッテリ装置の外表面に設けられ、光が入射した時に前記バッテリ手段を充電する太陽電池であることを特徴とする請求項３に記載の内視鏡装置。
【請求項５】
電極部を有し、装置内部に収容される燃料電池と、
前記燃料電池から供給される電源により動作する機能実行手段と、
前記装置外部に設けられ、前記燃料電池に燃料を注入する注入口と、
を備えることを特徴とするバッテリ装置。
【請求項６】
電極部を有し、装置内部に収容される燃料電池と、
前記燃料電池から供給される電源により動作する機能実行手段と、
前記装置外部に設けられ、前記燃料電池に燃料を注入する注入口と、
所定対象装置に装着される装着手段と、
を有するバッテリ装置と、
所定対象装置としての内視鏡操作部と、
を備えることを特徴とする内視鏡装置。
【請求項７】
外光を集光する集光手段と、
所定対象装置に装着される装着手段と、
を有する集光装置と、
前記集光手段で集光された外光を内部に導光する、所定対象装置としての内視鏡操作部と、
を備えることを特徴とする内視鏡装置。
【発明の詳細な説明】
【技術分野】
【０００１】
１次電池または２次電池として使用されるバッテリ手段（以下、単に「バッテリ」という）を有するバッテリ装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
近年では、このような構成のバッテリを医療用装置、たとえば医療用の内視鏡装置に用いている。この機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、このような内視鏡装置では、被検部位の胃、大腸などの臓器の体腔内の観察中に長時間を費やす場合があり、これによって１次電池または２次電池としてのバッテリの消耗が激しくなるという問題があった。
【０００７】
本発明は、上記問題に鑑みてなされたものであって、所定の補助手段を用いて、電池の寿命時間を向上させることができるバッテリ装置および内視鏡装置を提供することを目的とする。
【課題を解決するための手段】
【０００８】
上述した課題を解決し、目的を達成するために、本発明にかかるバッテリ装置は、電極部を有し、装置内部に収容されるバッテリ手段と、前記バッテリ手段から供給される電源により作動する機能実行手段と、前記バッテリ手段による電源供給を補助する補助手段と、を備えることを特徴とする。
【０００９】
また、請求項２の発明にかかるバッテリ装置は、上記発明において、前記補助手段は、前記バッテリ装置の外表面に設けられ、光が入射した時に前記バッテリ手段を充電する太陽電池であることを特徴とする。
【００１０】
また、請求項３の発明にかかる内視鏡装置は、電極部を有し、装置内部に収容されるバッテリ手段と、前記バッテリ手段から供給される電源により作動する機能実行手段と、前記バッテリ手段による電源供給を補助する補助手段と、所定対象装置に装着される装着手段と、を有するバッテリ装置と、所定対象装置としての内視鏡操作部と、を備えることを特徴とする。
【００１１】
また、請求項４の発明にかかる内視鏡装置は、上記発明において、前記補助手段は、前記バッテリ装置の外表面に設けられ、光が入射した時に前記バッテリ手段を充電する太陽電池であることを特徴とする。
【００１２】
また、請求項５の発明にかかるバッテリ装置は、電極部を有し、装置内部に収容される燃料電池と、前記燃料電池から供給される電源により動作する機能実行手段と、前記装置外部に設けられ、前記燃料電池に燃料を注入する注入口と、を備えることを特徴とする。
【００１３】
また、請求項６の発明にかかる内視鏡装置は、電極部を有し、装置内部に収容される燃料電池と、前記燃料電池から供給される電源により動作する機能実行手段と、前記装置外部に設けられ、前記燃料電池に燃料を注入する注入口と、所定対象装置に装着される装着手段と、を有するバッテリ装置と、所定対象装置としての内視鏡操作部と、を備えることを特徴とする。
【００１４】
また、請求項７の発明にかかる内視鏡装置は、外光を集光する集光手段と、所定対象装置に装着される装着手段と、を有する集光装置と、前記集光手段で集光された外光を内部に導光する、所定対象装置としての内視鏡操作部と、を備えることを特徴とする。
【発明の効果】
【００１５】
本発明にかかるバッテリ装置は、装置内部に収容されるバッテリ手段、たとえば電池を充電するための充電手段、たとえば太陽電池を補助的に設けて、充電手段からバッテリ手段を充電し、良好な充電状態でバッテリ装置から機能実行手段に電源を供給することで、所定の補助手段である太陽電池を用いて、電池の寿命時間を向上させることができるという効果を奏する。
【００１６】
本発明にかかる内視鏡装置は、バッテリ装置内部に収容されるバッテリ手段を充電するための充電手段を補助的に設けて、充電手段からバッテリ手段を充電するとともに、所定対象装置、たとえば内視鏡操作部にバッテリ装置を装着させて、機能実行手段に電源供給を行うことで、所定の補助手段である太陽電池を用いて、電池の寿命時間を向上させ、かつ機能実行手段による所定の機能実行を可能にすることができるという効果を奏する。
【発明を実施するための最良の形態】
【００１７】
以下に、本発明にかかるバッテリ装置および内視鏡装置の実施の形態を図１〜図８の図面に基づいて詳細に説明する。なお、本発明は、これらの実施の形態に限定されるものではなく、本発明の要旨を逸脱しない範囲で種々の変更実施の形態が可能である。
【００１８】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００１９】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００２０】
また、この操作部２２には、内視鏡２を保持して固定するために、医者などの操作者が把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２１】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２２】
挿入部２３内には、バッテリ装置３から出射された照明光を導くためのライトガイドファイバ（図示せず）が内装されている。このライトガイドファイバの一端は、操作部２２内部で屈曲され、ライトガイド口金２２ａ内に固定されている。また、このライトガイドファイバの他端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２３】
図２は、図１に示した操作部２２とバッテリ装置３の接続部３１の外観を説明するための図であり、図３は、図１に示したバッテリ装置の全体構成を示す図であり、図４は、同じく、バッテリ装置の実施の形態１にかかる全体構成を示す斜視図である。図２〜図４において、装着手段としてのバッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２４】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２５】
図３、図４において、バッテリ装置３は、横長の長方体形状の枠体からなるランプを収容するランプ収容部３２と、バッテリ手段としてのバッテリ３４を収容するバッテリ収容空間を形成する内面３３ｅを有する縦長の長方体形状の枠体からなるバッテリ収容部３３と、バッテリ収容部３３の上端部に、たとえば蝶番式で開閉自在に連結された蓋体３５とを備える。
【００２６】
ランプ収容部３２は、収容部本体３２ａと、ランプ５０を保持して収容部本体３２ａに嵌合される水密構造の水密リング３２ｂと、水密リング３２ｂに付設されるランプ接点バネ部３２ｃとを備える。収容部本体３２ａは、たとえば絶縁性の樹脂素材で一端に太径の孔からなる太孔部と、細径の孔からなり大孔部に連通する細孔部とを有して形成され、これら孔部は、外部と連通している。水密リング３２ｂは、この収容部本体３２ａの太孔部に嵌合可能に形成されている。ランプ接点バネ部３２ｃは、この収容部本体３２ａの細径部とネジなどによって嵌合可能で、かつ細孔部に挿入、保持されたランプ５０の基端電極５０ａと接続可能な接点バネから形成されている。また、ランプ接点バネ部３２ｃは、収容部本体３２ａ内の図示しない導電接点板と接続されている。さらに、収容部本体３２ａの細孔部内には、ランプ５０を保持するための図示しないランプ収納筒、ランプ５０の前方に設けられた集光レンズを保持するためのレンズ保持筒、摺動可能なクリック板を有するクリック機構などが配設されている。
【００２７】
図４の斜視図において、バッテリ収容部３３の外部には、複数のパネルを配列して長方形に構成される補助手段としての太陽電池３３ａが一側面３３ｂに付設されている。このバッテリ収容部３３は、操作部２２に対して回動自在に構成され、ランプ５０がオンの位置の時、すなわち使用状態の時に、太陽電池３３ａは、上方（基端側もしくは接眼部側）を向く一側面３３ｂに付設され、外部からの光が当たることとなる。このように、この実施の形態では、回動自在な部分に太陽電池を配置することで、常に光の当たり易い方向に太陽電池を向けることが可能となる。
【００２８】
また、一般的に、内視鏡２は、室内灯や無影灯などが点灯する病院の室内で使用されることが多い。このため、太陽電池３３ａは、この室内灯や無影灯の光波長に対する波長感度の良いものを使用することが好ましい。なお、太陽電池３３ａのパネルは、図４に示すように、バッテリ収容部３３の一側面３３ｂにのみ設けても良いし、またバッテリ収容部３３の少なくとも２つの外表面に設けて、複数外表面の太陽電池に光が当たるように構成しても良い。この場合には、内視鏡の姿勢を変えても常にいずれかの太陽電池のパネルに光があたることとなる。
【００２９】
また、バッテリ収容部３３の内部には、２次電池としてのバッテリ３４の電極と接触して電気的に接続される、図示しないコイルバネおよび円柱形状の接続端子と、バッテリ収容部３３の底部に配設され、コイルバネおよび接続端子と接続される電源回路とを備える。コイルバネおよび接続端子は、直列に接続されたバッテリ３４の電力を電源回路に供給している。図５は、バッテリ装置３の電源回路の構成を示す回路図である。この電源回路には、バッテリ３４の電圧を、ランプ５０の定格電圧、たとえば４．８Ｖに変換するＤＣ／ＤＣコンバータ３３ｃが設けられている。太陽電池３３ａは、このバッテリ３４と並列に接続され、入射する光を光電変換効果によって電力に変換し、バッテリ３４への充電を可能にしている。ランプ５０は、ＤＣ／ＤＣコンバータ３３ｃから印加される定格電圧によって起動して照明光を出射し、この照明光は、接続口金３１ｄ（図１参照）から接続された内視鏡２内のライトガイドファイバ（図示せず）を通って、照明窓２３ｄ（図１参照）から外部に照射される。
【００３０】
なお、蓋体３５は、非導電部材で形成されており、閉状態で装填されたバッテリ３４と接続される導電板３５ａと、縁部に設けられた固定爪部３５ｂとを備える。この実施の形態では、バッテリ収容部３３の内面３３ｅに、バッテリ３４が矢印Ｂに示すように挿入および収納され、蓋体３５を閉めた時に、バッテリ３４が導電板３５ａに接触して直列状態で接続される。
【００３１】
バッテリ装置３は、蓋体３５が図示しないヒンジによって連結された上端部と対向する上端部に、ロック機構部３６を備える。このロック機構部３６は、固定爪部３５ｂに係合するロック爪部３６ａと、バッテリ収容部３３に対して回動するとともに、この回動に対応してロック爪部３６ａを回動可能に支持する開放レバー３６ｂとから形成されている。このため、このロック爪部３６ａは、開放レバー３６ｂの動作に連動して固定爪部３５ｂに対して固定した状態または開放した状態をとることが可能となる。つまり、蓋体３５は、固定爪部３５ｂに係合する、いわゆるバックル式のロック機構によってバッテリ収容部３３に一体固定されている。
【００３２】
このように、この実施の形態では、バッテリ収容部の外表面にパネル構成の太陽電池を設け、この太陽電池をバッテリと並列に接続することで、２次電池であるバッテリを充電するので、長時間の体腔内の観察に使用する場合でも、所定の補助手段としてこの太陽電池を用いてバッテリを随時充電し、バッテリの寿命時間を向上させることができる。このため、この実施の形態では、たとえば長時間の使用でも、バッテリの寿命が尽きることなく、良好に体腔内の観察を行うことが可能となる。
【００３３】
なお、この実施の形態では、太陽電池を２次電池の補助充電用に用いたが、本発明はこれに限らず、たとえば太陽電池のみから構成されるバッテリ装置を用いて、機能実行手段であるランプを点灯させることも可能である。また、本発明では、太陽電池を操作部に直接設けることも可能である。
【００３４】
（実施の形態２）
図６は、図１に示したバッテリ装置の実施の形態２にかかる全体構成を示す斜視図である。図において、この実施の形態では、市販の２次電池からなるバッテリの代わりに燃料電池を用いるもので、バッテリ収容部３３の内部に設けられ、燃料電池の燃料を収容する収容タンク３３ｄと、バッテリ収容部３３の外部（側面）に設けられ、収容タンク３３ｄに上記燃料を注入する注入口３３ｆとを備える。この注入口３３ｆは、収容タンク３３ｄに注入した燃料が逆流して外部に噴出するのを防ぐために、たとえば逆止弁などを有することが可能である。
【００３５】
この燃料電池の発電技術は、たとえば天然ガスやメタノールなどの燃料から得られる水素と、大気中の酸素とを電気化学的に反応させることによって、直接発電させる技術である。また、内視鏡２を使用する病院などでは、医療行為に使用するエタノールが常時ストックされていることが多い。そこで、この実施の形態では、燃料電池の燃料として、常時病院の内部で供給することができるエタノールを用い、このエタノールから得られる水素と、酸素とを電気化学的に反応させて発電させて、機能実行手段であるランプ５０を点灯させることも可能である。
【００３６】
この実施の形態にかかるバッテリ装置３の電源回路の構成も、実施の形態１の電源回路と同様に、燃料電池からの電圧をＤＣ／ＤＣコンバータで定格電圧に変換し、ランプ５０に印加している。これにより、ランプ５０は、点灯起動して照明光を出射し、この照明光は、接続口金３１ｄ（図１参照）から接続された内視鏡２内のライトガイドファイバ（図示せず）を通って、照明窓２３ｄ（図１参照）から外部に照射される。
【００３７】
このように、この実施の形態では、バッテリ収容部の内部に燃料電池の燃料を収容する収容タンクを設け、外部から注入口を介してこの収容タンクに燃料を注入させて、酸素との電気化学的な反応によって発電させ、ランプを点灯させることが可能となり、燃料が不足した場合には、たとえば注射器や注入器などで燃料を注入口から注入して、収容タンクに随時収容させることができるので、実施の形態１と同様の効果が得られる。
【００３８】
なお、この実施の形態では、バッテリ収容部に収容タンクを設けたが、本発明はこれに限らず、たとえば操作部本体などに収容タンクを設けることも可能である。
【００３９】
（実施の形態３）
上述した実施の形態１，２では、バッテリ装置３を用いてランプ５０からの照明光を、内視鏡２内のライトガイドファイバに導光する場合を説明したが、この実施の形態３が実施の形態１，２と異なる点は、バッテリ装置３の代わりに、集光装置４を用いて外光を直接、内視鏡２内のライトガイドファイバに導光する点である。
【００４０】
図７は、本発明にかかる集光装置の構成の一例を示す側断面図であり、集光装置４が内視鏡操作部２２のライトガイド口金２２ａに取り付けられた状態を示す図である。この図において、集光装置４は、バッテリ装置３の接続部３１と同様の構成からなる、装着手段としての接続部４１を備え、この接続部４１は、外周面に設けられた接続環４１ａを有する。この接続環４１ａは、図示しないが実施の形態１の接続環３１ａと同様に、内周面に形成されている雌ネジ部と、この雌ネジ部の外周面を被覆するネジカバーとを備える。この接続環４１ａは、円筒形状の接続口金４１ｄの外周面を囲繞するように設けられ、かつ接続口金４１ｄの長手方向の移動が一定の範囲で移動可能なように規制された状態で、この接続口金４１ｄに取り付けられている。そして、この雌ネジ部が、ライトガイド口金２２ａの外周面に設けられた雄ネジ部（図２参照）と螺合するように構成されている。
【００４１】
また、接続口金４１ｄの外周面には、水密リング（図示せず）が周設されており、接続部４１をライトガイド口金２２ａに接続させる時に、この水密リングがライトガイド口金２２ａの接続筒（図２参照）の内周面に密着して、内視鏡２と集光装置４が一体に組み合わされることとなる。この構成により、この連結部での水密が確保される。この接続口金４１ｄの上端部の内周面には、集光手段としての集光レンズ４１ｃが取り付けられ、外光の集光を可能にしている。
【００４２】
また、集光装置４は、接続口金４１ｄを保持する保持部材４１ｂを備える。この保持部材４１ｂは、上端部が開口した円筒形状に構成され、底面４１ｄ１の中央付近には、円形の開口部４１ｄ２が形成されている。この開口部４１ｄ２には、接続口金４１ｄの上端部が係合して固定されている。
【００４３】
このような構成により、病院室内の室内灯や無影灯などから出射された照明光（外光）は、接続口金４１ｄの上端部に設けられた集光レンズ４１ｃで集光され、接続口金３１ｄから接続された内視鏡２内のライトガイドファイバ２５を通って、照明窓２３ｄ（図１参照）から外部に照射される。
【００４４】
このように、この実施の形態では、バッテリ装置３の代わりに、外光を集光して取り込む集光装置４を、内視鏡２のライトガイド口金２２ａに接続し、集光装置で集光した外光を、直接内視鏡のライトガイドファイバ２５に取り込むので、電池やランプを用いることなく所定の機能実行（体腔内の照明）を可能にすることができる。このため、たとえば通常使用しているバッテリ装置のランプが切れた時、またはバッテリ装置のバッテリが切れた時に、この実施の形態にかかる集光装置をライトガイド口金に接続すれば、外光を内視鏡内に集光し、導入部の先端から外部に照射することで、非常時にも体腔内の観察をすることができる。
【００４５】
なお、この実施の形態では、ライトガイド口金に本発明にかかる集光装置を取り付けたが、本発明はこれに限らず、たとえば専用の口金を内視鏡に設け、その口金に集光装置を取り付けるように構成することも可能である。さらに、本発明では、複数の集光装置を内視鏡操作部の外周に設けた複数の口金に取り付けて、それぞれの集光装置から外光を内視鏡内部に導光するように構成することも可能である。
【００４６】
また、この実施の形態では、集光レンズに代えて、広角レンズや魚眼レンズを用いて、さらに広範囲の外光を採光することも可能である。さらに、この実施の形態では、集光レンズを内視鏡２側、すなわちライトガイド口金２２ａに設けて外光を集光し、ライトガイドファイバで内視鏡内に導光するように構成することも可能である。この場合には、バッテリ装置を内視鏡から取り外すだけで、外光を採光することが可能となる。
【００４７】
また、本発明にかかる集光装置４は、図８に示すように、ドーム形状の曲面を有する主反射鏡４１ｅを保持部材４１ｂ内に設け、その基端部を接続口金４１ｄの上端部に固定するとともに、平板形状の副反射鏡４１ｆを集光レンズ４１ｃと対向し、かつ主反射鏡４１ｅの曲面の焦点近郊の位置に設け、支柱４１ｇで接続口金４１ｄの上端部に固定するように構成することも可能である。この構成では、主反射鏡４１ｅで反射した外光が、図中矢印で示すように、副反射鏡４１ｆで集光レンズ４１ｃ方向にさらに反射されて、集光レンズ４１ｃに取り込まれて集光する。なお、副反射鏡４１ｆは、主反射鏡４１ｅよりも曲率半径の小さい曲面を有する反射鏡で構成することも可能である。
【００４８】
このように、この実施の形態では、２つの反射鏡を用いて実施の形態３よりも、より大量の外光を集光レンズ４１ｃに取り込むことが可能となり、この集光レンズ４１ｃで集光した外光を、直接内視鏡のライトガイドファイバ２５に取り込むので、電池やランプを用いることなく所定の機能実行（体腔内の照明）を可能にすることができるとともに、実施の形態３と比べてさらに光量の多い光で体腔内を照射することができる。
【図面の簡単な説明】
【００４９】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】図１に示したバッテリ装置の全体構成を示す斜視図である。
【図４】同じく、バッテリ装置の実施の形態１にかかる全体構成を示す斜視図である。
【図５】同じく、バッテリ装置の電源回路の構成を示す回路図である。
【図６】同じく、バッテリ装置の実施の形態２にかかる全体構成を示す斜視図である。
【図７】本発明にかかる集光装置の構成の一例を示す側断面図である。
【図８】同じく、集光装置の構成の他例を示す側断面図である。
【符号の説明】
【００５０】
１  内視鏡装置
２  内視鏡
３  バッテリ装置
４  集光装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ  通気口金
２２ｉ  雄ネジ部
２２ｊ  接続筒
２３  挿入部
２３ａ  先端部
２３ｂ  湾曲部
２３ｃ  可撓管
２３ｄ  照明窓
２５  ライトガイドファイバ
３１  接続部
３１ａ  接続環
３１ｂ  雌ネジ部
３１ｃ  ネジカバー
３１ｄ  接続口金
３１ｅ，３２ｂ  水密リング
３２  ランプ収容部
３２ａ  収容部本体
３２ｃ  ランプ接点バネ部
３３  バッテリ収容部
３３ａ  太陽電池
３３ｂ  側面
３３ｃ  ＤＣ／ＤＣコンバータ
３３ｄ  収容タンク
３３ｅ  内面
３３ｆ  注入口
３４  バッテリ
３５  蓋体
３５ａ  導電板
３５ｂ  固定爪部
３６  ロック機構部
３６ａ  ロック爪部
３６ｂ  開放レバー
４１  接続部
４１ａ  接続環
４１ｂ  保持部材
４１ｃ  集光レンズ
４１ｄ  接続口金
４１ｄ１  底面
４１ｄ２  開口部
４１ｅ  主反射鏡
４１ｆ  副反射鏡
４１ｇ  支柱
５０  ランプ
５０ａ  基端電極
【図１】
2006110244.tif 000003
【図２】
2006110244.tif 000004
【図３】
2006110244.tif 000005
【図４】
2006110244.tif 000006
【図５】
2006110244.tif 000007
【図６】
2006110244.tif 000008
【図７】
2006110244.tif 000009
【図８】
2006110244.tif 000010